(57)【要約】【課題】意匠性に優れ、屋外での使用が可能で、ヘアースタイルを乱すことのない頭部冷却具を提供すること。【解決手段】シート上にモノフィラメント状物からなる多数の突起状物２ａを林立状態に配設した基体２と、該基体２に配した冷却材３とからなり、前記基体２を介して頭髪部に直接保持させるようにする。【選択図】図１
2010001586.tif 000002
【特許請求の範囲】
【請求項１】
シート上にモノフィラメント状物からなる多数の突起状物を林立状態に配設した基体と、該基体に配した冷却材とからなり、前記基体を介して頭髪部に直接保持させるようにしたことを特徴とする頭部冷却具。
【請求項２】
前記冷却材を、不織布からなる外装材に高分子吸水ポリマーを封入して構成したことを特徴とする請求項１記載の頭部冷却具。
【請求項３】
高分子吸水ポリマーに導熱性材料を添加したことを特徴とする請求項２記載の頭部冷却具。
【請求項４】
前記基体を袋状体に構成し、冷却材を取り出し可能に設けたことを特徴とする請求項１、２又は３記載の頭部冷却具。
【請求項５】
突起状物を部分的に欠落させるようにしたことを特徴とする請求項１、２、３又は４記載の頭部冷却具。
【請求項６】
表面に装飾を施したことを特徴とする請求項１、２、３、４又は５記載の頭部冷却具。
【請求項７】
四角形以外の装飾的形状に形成したことを特徴とする請求項１、２、３、４、５又は６記載の頭部冷却具。
【発明の詳細な説明】
【技術分野】
【０００１】
本発明は、頭部冷却具に関し、特に、頭部への取り付け、取り外しが容易である頭部冷却具に関するものである。
【背景技術】
【０００２】
従来、頭部冷却具として、発熱した場合等に頭部の熱を冷ますための貼着型の熱冷まし用のシートが汎用されている。
この貼着型の熱冷まし用のシートは、基本的には、前頭部の皮膚に貼着して使用するものであり、表面から順に支持体、膏剤、剥離ライナーを積層してなる積層体で構成されている（例えば、特許文献１参照）。
膏剤は、基剤にハッカ油やメントール等の清涼剤や冷却剤が混入されている。
そして、この貼着型の熱冷まし用のシートは、簡便に発熱を抑えたり、夏場において頭部に冷感を得るために使用することができ利便性が高いものである。
【特許文献１】特開平９−１８７４７４号公報
【発明の開示】
【発明が解決しようとする課題】
【０００３】
ところで、上記従来の頭部冷却具としての熱冷まし用のシートは、前頭部に貼り付けて使用するもので、室内で使用されることが前提とされており、屋外において日射病対策等を目的として使用するには意匠性等の点において問題があった。
【０００４】
本発明は、上記従来の頭部冷却具の有する問題点に鑑み、意匠性に優れ、屋外での使用が可能で、ヘアースタイルを乱すことのない頭部冷却具を提供することを目的とする。
【課題を解決するための手段】
【０００５】
上記目的を達成するため、本発明の頭部冷却具は、シート上にモノフィラメント状物からなる多数の突起状物を林立状態に配設した基体と、該基体に配した冷却材とからなり、前記基体を介して頭髪部に直接保持させるようにしたことを特徴とする。
【０００６】
この場合において、前記冷却材を、不織布からなる外装材に高分子吸水ポリマーを封入して構成することができる。
【０００７】
また、高分子吸水ポリマーに導熱性材料を添加することができる。
【０００８】
さらに、基体を袋状体に構成し、冷却材を取り出し可能に設けることができる。
【０００９】
また、突起状物を部分的に欠落させるようにすることができる。
【００１０】
また、頭部冷却具の表面に装飾を施すことができる。
【００１１】
また、頭部冷却具を四角形以外の装飾的形状に形成することができる。
【発明の効果】
【００１２】
本発明の頭部冷却具によれば、シート上にモノフィラメント状物からなる多数の突起状物を林立状態に配設した基体と、該基体に配した冷却材とからなり、前記基体を介して頭髪部に直接保持するようにしたから、モノフィラメント状物からなる多数の突起状物が毛髪に絡みついて、基体を介して簡単に冷却材を頭部に保持させることができる。
また、この頭部冷却具は、モノフィラメント状物からなる多数の突起状物（例えば、面ファスナの雄部）が毛髪に絡んで保持されるだけであり、強く固定されることがないからヘアースタイルが乱れることがない。
【００１３】
また、冷却材を、不織布からなる外装材に高分子吸水ポリマーを封入して構成するときは、外気温度が上昇する夏場の外出先において、水道水等を利用して簡単に高分子吸水ポリマーに水分を保持させる（高分子吸水ポリマーを膨潤させる）ことができ、これにより、水分の蒸散作用による気化熱で頭部の温度を放熱させて頭部に冷感を与えることができる。
【００１４】
また、高分子吸水ポリマーに導熱性材料を添加するときは、頭部からの放熱効果を向上させることができる。
【００１５】
また、基体を袋状体に構成し、冷却材を取り出し可能に設けるときは、放熱効果の下がった冷却材を予備の冷却材と簡単に入れ替えることができる。
【００１６】
また、突起状物を部分的に欠落させるようにするときは、突起状物によって生じる冷却材と頭部との距離を短くし、頭部からの放熱効果及び冷却材から伝わる冷感を向上させることができる。
【００１７】
また、表面に装飾を施すことによって、意匠性に優れ、屋外において頭部に付けるファッションとして使用することもできる。
さらに、装飾を施すことによって、ノベルティ商品、ブランド商品として商品価値を高めることができる。
【００１８】
また、頭部冷却具の形状を、四角形以外の装飾的形状に形成するときは、キャラクター商品としての展開を行うことができる。
さらに、装飾的形状に合わせて表面に装飾を施すことによって、意匠的に優れたものとすることができる。
【発明を実施するための最良の形態】
【００１９】
以下、本発明の頭部冷却具の実施の形態を、図面に基づいて説明する。
【実施例１】
【００２０】
図１〜図２に、本発明の頭部冷却具の第１実施例を示す。
【００２１】
この頭部冷却具１は、合成繊維（モノフィラメント）等から形成したシート上にモノフィラメント状物からなる多数の突起状物２ａを林立状態に配設した基体２と、該基体２に配した冷却材３とからなり、前記基体２を介して頭髪部に直接保持させるようにしたものである。
【００２２】
突起状物２ａは、毛髪に絡み易い形状であれば特に限定されるものではないが、本実施例においては、先端をフック状にした、面ファスナの雄部を使用する。
また、モノフィラメントは、面ファスナの雄部と使用される形状、例えば、キノコ状、ループ状の上端を切り開いた形状等、種々の形状とすることができる。
【００２３】
冷却材３は、特に限定されるものではないが、本実施例においては、ポリエステル繊維等からなる不織布で形成した外装材３１に高分子吸水ポリマー３２を封入して構成するようにしている。
これによって、水道水等を利用して簡単に高分子吸水ポリマーに水分を保持させる（高分子吸水ポリマーを膨潤させる）ことができ、これにより、水分の蒸散作用による気化熱で頭部の温度を放熱させて頭部に冷感を与えることができる。
【００２４】
また、冷却材３に封入する高分子吸水ポリマー３２に導熱性材料３３を添加することができる。
導熱性材料３３は、特に限定されるものではないが、酸化アルミニウム等の高い導熱性を有する粉体を用いることができる。
これによって、頭部からの放熱効果をさらに向上させることができる。
また、高分子吸水ポリマー３２には、防腐剤、例えば、アルコール粉末等を添加することが好ましい。
【００２５】
なお、冷却材３には、保冷剤を封入したものを使用することもできる。
また、冷却材３に代えて、温熱資材、例えば、発熱体である鉄粉及び反応触媒を原料としたものを用いることによって頭部保温具として使用することもできる。
【００２６】
ところで、本実施例においては、図１（ａ）に示すように、突起状物２ａを林立状態に配設した基体２に冷却材３を溶着等の適宜手段を用いて一体化するようにしている。
なお、基体２に、粘着剤等を用いて冷却材３を固定することもできる。
【００２７】
この頭部冷却具１は、毛髪に突起状物２ａが絡むことによって、簡単に頭部の任意の箇所に取り付け、外出することができる。
屋外での使用に際して、帽子等を着用することによって、さらに冷感を増すことができる。
この場合、冷却材３を外出前に冷蔵庫等の保冷庫に保存しておくことによって、使用時の冷感が増すとともに、長時間の使用を可能とすることができる。
また、この頭部冷却具１は、毛髪部への固定力は強くなく、ヘアースタイルが乱れることもない。
さらに、室内での使用態様として、前髪を持ち上げた状態で固定することによって、化粧や顔剃り時に前髪が邪魔にならず、その際に頭部に冷感を得ることができる。
【実施例２】
【００２８】
図３に、本発明の頭部冷却具の第２実施例を示す。
この頭部冷却具１は、基体２を袋状体２１に構成し、冷却材３を取り出し可能に設けるようにしている。
【００２９】
基体２は、図３（ｂ）に示すように、少なくとも１辺を開口部２１ａとし、冷却材３を簡単に出し入れできるように構成する。
そして、開口部２１ａには、冷却材３を内部に入れた状態で冷却材３が脱落することがないようにチャックや面ファスナ等の開閉部材を配設することが好ましい。
【００３０】
これによって、放熱効果の下がった冷却材３を予備の冷却材３と簡単に入れ替えることができる。
また、冷却材３が劣化した場合等でも、冷却材３の交換のみで基体２を再利用することができる。
【００３１】
なお、本実施例のその他の構成及び作用は、上記第１実施例と同様である。
【実施例３】
【００３２】
図４に、本発明の頭部冷却具の第３実施例を示す。
この頭部冷却具１は、突起状物２ａを部分的に欠落させるようにしている。
【００３３】
突起状物２ａを配設する範囲及び欠落部２ｂの範囲は、特に限定されず、図４（ａ）に示すように、千鳥状に突起状物２ａを配設する範囲と欠落部２ｂとを形成するほか、図４（ｂ）に示すように、基体２の中央部分を欠落部２ｂとしてもよい。
なお、欠落部２ｂは、基体２に突起状物２ａを配設しないようにして形成するほか、基体２ごと欠落させるようにすることもできる。
【００３４】
これによって、突起状物２ａによって生じる冷却材３と頭部との距離を短くし、頭部からの放熱及び冷却材３から伝わる冷感を向上させることができる。
【００３５】
なお、本実施例のその他の構成及び作用は、上記第１実施例〜第２実施例と同様である。
【実施例４】
【００３６】
図５に、本発明の頭部冷却具の第４実施例を示す。
【００３７】
この頭部冷却具１は、図５（ａ）に示すように、表面に装飾４ａを施すようにしている。
装飾４ａは、頭髪部に直接保持させたときに表面となる箇所に施すもので、基体２と冷却材３とを固定する際に、樹脂製シート４で冷却材３をカバーする場合には、樹脂製シート４の表面に模様を印刷して装飾４ａとしたり、装飾品を取り付けることができる。
冷却材３の表面が不織布からなる外装材３１の場合には、不織布を染料によって染め分けた模様としたり、ビーズ等の装飾品を取り付けることができる。
また、基体２を袋状体２１にするときは、袋状体２１の表面（突起状物２ａを植え付けた面の反対面）に直接、装飾４ａを施すこともできる。
【００３８】
また、頭部冷却具１は、図５（ｂ）に示すように、四角形以外の装飾的形状４ｂに形成することもできる。
装飾的形状４ｂは、頭部冷却具１の形状をハート型に型抜きすることによって形成するほか、四角形に製作したものを裁断することによって所望の形状に形成することもできる。
【００３９】
また、頭部冷却具１は、図５（ｃ）に示すように、装飾的形状４ｂを動物の顔や花の輪郭等となるように形成し、表面に動物の顔や花等を装飾４ａとして施すこともできる。
【００４０】
これによって、意匠性に優れ、屋外において頭部に付けるファッションとして使用することができる。
また、ノベルティ商品、ブランド商品として商品価値を高めることができるとともに、キャラクター商品としての展開を行うこともできる。
【００４１】
なお、本実施例のその他の構成及び作用は、上記第１実施例〜第３実施例と同様である。
【００４２】
以上、本発明の頭部冷却具について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００４３】
本発明の頭部冷却具は、意匠性に優れ、屋外での使用が可能で、ヘアースタイルを乱すことがないという特性を有していることから、屋外等で使用する頭部冷却具の用途に好適に用いることができる。
【図面の簡単な説明】
【００４４】
【図１】本発明の頭部冷却具の第１実施例を示し、（ａ）は正面図、（ｂ）は平面図である。
【図２】同頭部冷却具に使用する冷却材を示し、（ａ）は平面図、（ｂ）は（ａ）のＸ−Ｘ断面図、（ｃ）は（ｂ）のＹ部拡大図である。
【図３】同頭部冷却具の第２実施例を示し、（ａ）は正面図、（ｂ）は冷却材の取り出しを説明する斜視図である。
【図４】同頭部冷却具の第３実施例を示す平面図で、（ａ）は突起状物の植え付け範囲及び欠落部の範囲を千鳥状にした例を、（ｂ）は欠落部を基体の中央部に設けた例を示す。
【図５】同頭部冷却具の第４実施例を示し、（ａ）は表面に装飾を施した例を、（ｂ）は装飾的形状に形成した例を、（ｃ）は装飾的形状に形成し表面に装飾を施した例を示す。
【符号の説明】
【００４５】
１    頭部冷却具
２    基体
２ａ  突起状物
２ｂ  欠落部
２１  袋状体
３    冷却材
３１  外装材
３２  高分子ポリマー
３３  導熱性材料
４ａ  装飾
４ｂ  装飾的形状
【図１】
2010001586.tif 000003
【図２】
2010001586.tif 000004
【図３】
2010001586.tif 000005
【図４】
2010001586.tif 000006
【図５】
2010001586.tif 000007